(57)【要約】【課題】胴差の間に従前よりも長い桟を架け渡すことができ、木造建築でありながらこれまでになく広い間取りを構築することのできる補強具および補強セットが望まれている。【解決手段】補強セットＳは補強具１，１と挟持部材２とから構成されている。補強具１は、木造建築の胴差などの側面にあてがわれる竪板部３と、竪板部３の上辺部分３Ａから水平方向に延在して形成された掛止部４と、竪板部３の一側面３Ｂに掛止部４とは反対側の水平方向に突設されて断面略Ｕ字状に形成された桟受部５と、から成っている。桟受部５の外側面１３Ａと竪板部３の一側面３Ｂとが補強板６で連結されている。竪板部３の側面切欠き部７と、側面切欠き部７につながった掛止部４の上面切欠き部８とを有している。【選択図】図１
2018150716.tif 000002
【特許請求の範囲】
【請求項１】
木造建築の胴差などの側面にあてがわれる竪板部と、
前記竪板部の上辺部分から水平方向に延在して形成され前記胴差などの上面に跨って掛止される掛止部と、
前記竪板部の一側面に前記掛止部とは反対側の水平方向に突設されて桟などを受けるために断面略Ｕ字状に形成された桟受部と、
から成ることを特徴とする木造建築用の補強具。
【請求項２】
前記桟受部の外側面と前記竪板部の一側面とが補強板で連結されている請求項１に記載の木造建築用の補強具。
【請求項３】
突設された前記桟受部の内側に位置する竪板部が切り欠かれて形成された側面切欠き部と、前記掛止部が切り欠かれて形成されていて前記側面切欠き部につながる上面切欠き部と、を有して成る請求項１または請求項２に記載の木造建築用の補強具。
【請求項４】
長さ５ｍを超える前記桟などの両端部に用いられる請求項１から請求項３のいずれか一項に記載の木造建築用の補強具。
【請求項５】
請求項１から請求項４のいずれか一項に記載の補強具と、
前記桟などの途中部分を両側から挟みつける挟持部材と、から成ることを特徴とする補強セット。
【発明の詳細な説明】
【技術分野】
【０００１】
本発明は、例えば木造建築における胴差などの間に桟などを架け渡した接続構造を補強するための、補強具および当該補強具を備える補強セットに関するものである。
【背景技術】
【０００２】
従来、鉄筋コンクリート構造や鉄骨構造などよりも格段に安価で済むことから、木造建築の家屋が汎用されている。このような木造建築においては、その２階構造として、平行する胴差間に２階根太などの桟を複数架け渡す際に蟻接ぎなどの接手構造が使用されている。すなわち、図８に示すように、桟Ｔの両端部に蟻接ぎの蟻凸部２１，２１が形成され、胴差Ｄ，Ｄの蟻接ぎ予定位置に蟻溝２０，２０が形成される。そして、桟Ｔの蟻凸部２１，２１が胴差Ｄ，Ｄの蟻溝２０，２０に嵌着されることにより、胴差Ｄ，Ｄ間に桟Ｔが固定されるようになっている。このような蟻接ぎは、接着剤、クギ、木ネジなどで補強されることが多い。ところで、木造建築２階の間取りの大きさは桟Ｔの長さＬ０により決まってくるが、一般に慣用される桟Ｔの長さＬ０は５ｍが限界とされていた。そのために、施主が広い部屋が欲しいと思っても、一辺が５ｍ以下という慣行に阻まれて広い部屋を有する木造家屋を持てないという不都合があった。
【０００３】
他方で、桟Ｔは時間が経つにつれて徐々に乾燥し両端部が矢印Ｍ，−Ｍ方向に縮んで短くなろうとする。そのために、胴差Ｄの蟻溝２０から蟻凸部２１が外れやすくなり、構造強度が低下するという不具合があった。すなわち、強い地震や台風などに遭遇した際に、木造建築は大きく歪んで揺れたりするが、図８に示した構造のように、元々弱い箇所である桟Ｔの両端部の接合部分Ｈ，Ｈと、桟Ｔの略中央の途中部分Ｇは特に損傷を受けやすかったのである。
【０００４】
そこで、下記の特許文献１のような技術が提案されている。特許文献１開示の接続構造は、胴差の内側面の固定されている小梁受板に小梁の先端が掛止されるとともに、小梁先端の上面および胴差の上面にわたって載せられた側面視Ｌ字状の結合板片がボルトなどで固定される構造である。
また、下記の特許文献２のような技術も知られている。特許文献２開示の接続構造は、一方の梁の側面に蟻溝が形成され、他方の梁の先端に蟻凸部が形成され、側面視乙字状である爪付き接続金具が蟻溝と蟻凸部との間に介装されることにより、双方の梁が接続される構造である。
【先行技術文献】
【特許文献】
【０００５】
【特許文献１】特開２００５−１２０６４７号公報
【特許文献２】特開２０００−２９１１４３号公報
【発明の概要】
【発明が解決しようとする課題】
【０００６】
ところで、上記した特許文献１に記載の接続構造は、胴差内側にある短幅の小梁受板に小梁の先端が単に載置支持されているだけであり、特許文献２に記載の接続構造も梁の先端が接続金具の短寸の荷重受け部に載置支持されているだけなので、いずれの技術も梁の先端が胴差から外れやすかった。また、長年の使用により桟や梁が乾燥して短くなろうとするが、これによっても桟や梁が胴差から外れやすくなる。更に、従前の桟や梁より長いものはそれ自体で強度が小さくなるが、特許文献１，２で用いる接続用の金具によっては、桟や梁の強度低下を十分に補充できなかったのである。
【０００７】
本発明は、上記した従来の問題点に鑑みてなされたものであって、胴差などの間に、従前よりも長い桟などを用いることができ、木造建築でありながらこれまでになく広い間取りを構築することのできる補強具および補強セットの提供を目的とする。
【課題を解決するための手段】
【０００８】
上記目的を達成するために、本発明に係る補強具は、木造建築の胴差などの側面にあてがわれる竪板部と、前記竪板部の上辺部分から水平方向に延在して形成され前記胴差などの上面に跨って掛止される掛止部と、前記竪板部の一側面に前記掛止部とは反対側の水平方向に突設されて桟などを受けるために断面略Ｕ字状に形成された桟受部と、から成ることを特徴とする構成にしてある。
【０００９】
また、前記構成において、桟受部の外側面と竪板部の一側面とが補強板で連結されているものである。
【００１０】
そして、前記した各構成において、突設された桟受部の内側に位置する竪板部が切り欠かれて形成された側面切欠き部と、掛止部が切り欠かれて形成されていて側面切欠き部につながる上面切欠き部と、を有して成るものである。
【００１１】
更に、前記した各構成において、長さ５ｍを超える前記桟などの両端部に用いられるものである。
【００１２】
また、本発明に係る木造建築用補強セットは、請求項１から請求項４のいずれか一項に記載の補強具と、前記桟などの途中部分を両側から挟みつける挟持部材と、から成るものである。
【発明の効果】
【００１３】
本発明に係る木造建築用の補強具は、胴差などの側面にあてがわれる竪板部と、胴差などに掛止される掛止部と、桟などを受ける桟受部とから構成されているので、竪板部および掛止部が胴差などに掛止され桟受部が桟などを支持するから、平行する胴差などの間に桟などをしっかりと架け渡すことができる。そのとき、断面Ｕの字状の桟受部は桟などの先端部を収受しているから、これまでより長い桟などを用いた場合であっても、必要な構造強度を保持しながら架け渡すことができる。尚、前記した桟受部の長さは、桟などの長さの例えば１／２０〜１／１０、具体的には例えば２５〜８０ｃｍ程度が望ましい。桟などの長さが１／２０よりも短いと、桟などを受ける受け寸法が短すぎて、桟などの経時縮退や長手方向の揺れによる桟などの脱落を招くおそれがある。一方で、桟などの長さが１／１０よりも長いと、竪板部との接続位置を中心として桟受部にかかる水平方向のモーメントが大きくなりすぎて桟受部が竪板部から破断するおそれがあり、補強具の全体重量が重くなりすぎるという不具合も生じる。
【００１４】
また、桟受部の外側面と竪板部の一側面とが補強板で連結されているものでは、竪板部に対する桟受部の強度が大きくなるので、地震などで桟などが横揺れを受けた場合でも、竪板部に対して桟受部が曲げられたり破断されたりすることを防止できるので、更なる高強度の補強具を提供することができる。
【００１５】
そして、竪板部の側面切欠き部と掛止部の上面切欠き部を有するものでは、桟などの先端に蟻凸部を形成するとともに胴差などに蟻溝を形成しておき、当該蟻溝が上面切欠き部および側面切欠き部から覗く位置の胴差などに補強具の掛止部を掛止させることで、例えば蟻接ぎなどのような従来慣用の接合作業も行なうことができる。すなわち、従来と変わらぬ接合作業もが行なえるので、従来の接合手法による強度増加も加わって、よりいっそう接合強度の高い構造を提供することができる。
【００１６】
更に、本発明の補強具を適用する場合は、従来慣用されていた長さ５ｍ以下の桟などに替えて、長さ５ｍを超える長い桟などを用いることができる。その場合でも、補強具に支持された桟などは充分な強度を保持し得るので、２階の間取りとして広い部屋を構築することができる。
【００１７】
また、本発明に係る木造建築用の補強セットは、前記した補強具と、桟などの途中部分を両側から挟みつける挟持部材とを備えているので、長い桟などの比較的低い強度の途中部分を挟持部材が補強するから、補強具に加えて挟持部材の存在により架け渡し構造の強度をいっそう高く保持することができ、それに加えて挟持部材の存在により桟などが大きく撓むことも防止できる。尚、前記した挟持部材の長さは、桟などの長さの１／１０〜１／６、具体的には６０〜１５０ｃｍ程度とするのが、過不足のない適正な補強度の提供および軽量化の観点から望ましい。
【図面の簡単な説明】
【００１８】
【図１】本発明の一実施形態に係る木造建築用の補強セットを示す斜視図である。
【図２】前記補強セットの一部として用いる木造建築用の補強具を示す図であって、（ａ）は平面図、（ｂ）は底面図である。
【図３】前記補強具を示す側面図である。
【図４】前記補強具を用いて胴差間に梁を固定する態様を示した図であって、（ａ）は一部省略した部分平面図、（ｂ）は（ａ）におけるＡ−Ａ線矢視断面図である。
【図５】図４（ｂ）の一部分に対応した部分拡大側面図である。
【図６】前記補強セットを用いて胴差間に梁を固定する態様を示した図であって、（ａ）は一部省略した部分平面図、（ｂ）は一部省略した部分側面図である。
【図７】前記補強セットの挟持部材を利用する別の態様を示した図であって、（ａ）は一般の鎌接ぎ態様を示す部分正面図、（ｂ）は（ａ）の鎌接ぎ部分を挟持部材で補強した態様を示す部分正面図である。
【図８】胴差間に梁を蟻接ぎで固定する従来一般の態様を示した図であって、（ａ）は一部省略した部分平面図、（ｂ）は（ａ）におけるＢ−Ｂ線矢視断面図である。
【発明を実施するための形態】
【００１９】
以下、本発明の実施形態を図面に基づいて説明する。尚、以下に述べる実施形態は本発明を具体化した一例に過ぎず、本発明の技術的範囲を限定するものでない。ここに、図１は本発明の一実施形態に係る木造建築用の補強セットを示す斜視図、図２は前記補強セットの一部として用いる木造建築用の補強具を示す図であって（ａ）は平面図、（ｂ）は底面図、図３は前記補強具を示す側面図である。但し、図８に示した従来の木造建築構造と同一の構成要素には、同一の符号を付すとともにその詳細な説明を省略することがある。
図１において、この実施形態に係る木造建築用の補強セットＳは、例えば胴差Ｄに掛止されて例えば桟Ｔを支持する補強具１と、桟Ｔの途中部分を両側から挟みつけて補強する挟持部材２と、から構成されている。これらの補強具１と挟持部材２は安価な例えば鉄鋼板材で構成されている。但し、これらの補強具１と挟持部材２は一定以上の強度を有する材質のものであれば異存はなく、例えばステンレス鋼、カーボンファイバー材、高密度超硬合成樹脂などで構成することも可能である。ここで適用される胴差などの代表例は例えば１階と２階の間に配備される胴差Ｄであり、桟などの代表例は例えば２階根太（桟Ｔ）である。
【００２０】
続いて、前記した補強セットＳのうちの補強具１を、主に図１〜図３を用いて説明する。この補強具１は全体が例えば厚さ１０ｍｍ程度の鋼板で構成されていて、各部は溶接付けや折り曲げなどで構築されている。すなわち、補強具１は、板面を縦向きに配置される竪板部３と、竪板部３の上辺部分３Ａから水平方向に延在して形成された掛止部４と、竪板部３の一側面３Ｂに掛止部４とは反対側の水平向きに溶接などで突設された断面略Ｕ字状の桟受部５と、桟受部５の左右の外側面１３Ａ，１３Ａと竪板部３の一側面３Ｂとをそれぞれ連結した補強板６，６と、胴差Ｄや桟Ｔに固定するために用いられる幾組かのボルトＢおよびナットＮと、から構成されている。
【００２１】
前記の竪板部３は横長の長方形状に形成されており、桟受部５の内側のあたる竪板部３の位置に竪板部３が切り欠かれて側面切欠き部７が形成されている。また、掛止部４における横板部分１０の竪板部３近傍位置が切り欠かれて上面切欠き部８が形成されており、この上面切欠き部８は前記の側面切欠き部７とつながっている。竪板部３における上辺部分３Ａの近傍位置には、ボルト穴１５，１５，１５，１５が穿設されている。
【００２２】
前記の掛止部４は、竪板部３の上辺部分３Ａから水平方向に延在して竪板部３と一体に形成された横板部分１０と、横板部分１０の先端辺部分から垂直方向下向きに延在して横板部分１０と一体に形成された垂板部分１１と、から構成されている。すなわち、掛止部４と竪板部３との一体構造は、側面から視て天地逆Ｌの字状に形成されている。そして、横板部分１０における垂板部分１１の内面１１Ａと竪板部３の内側面３Ｃとの間の寸法は、胴差Ｄの横幅よりもわずかに広く設定されている。すなわち、掛止部４および竪板部３は、胴差Ｄの長手方向に沿って装着され得るように長尺に形成されている。横板部分１０における竪板部３の近傍位置には、釘穴１６，１６，１６，１６，１６，１６が穿設されている。竪板部３のボルト穴１５，１５，１５，１５と対向する位置の垂板部分１１にも、ボルト穴１５，１５，１５，１５が穿設されている。
【００２３】
前記の桟受部５は、桟Ｔを載せて支持する底板部分１２と、底板部分１２の左右両辺部分から垂直方向上向きに延在して底板部分１２と一体に形成された側板部分１３，１３と、から構成されており、上面開口１４を有する正面視で略Ｕの字状に形成されている。すなわち、桟受部５は掛止部４および竪板部３の長手方向とは直角の方向に長尺の長さＬ２（図３参照）に形成されていて、補強具１全体の平面形状は略Ｔの字状になっている。
前記の補強板６は例えば平面視で三角形状に形成されていて、竪板部３の一側面３Ｂと側板部分１３の外側面１３Ａとに溶接などで固着されている。この補強板６の存在により、竪板部３に対して桟受部５が左右の曲げ応力に耐えられるようになっている。但し、この補強板６の平面形状は三角形に限られない。
【００２４】
上記のように構成された木造建築用の補強具１の作用について、図４および図５を主に用いて説明する。
この補強具１が適用される木造建築は従来技術で示したものと同様の構造である。すなわち、平行する胴差Ｄ，Ｄ間に架け渡される桟Ｔの両端部に、蟻接ぎの蟻凸部２１，２１が形成される。一方、胴差Ｄ，Ｄの蟻接ぎ予定位置には、蟻溝２０，２０が形成される。そして、桟Ｔの蟻凸部２１，２１が胴差Ｄ，Ｄの蟻溝２０，２０に嵌着されることにより、胴差Ｄ，Ｄ間に桟Ｔが固定されるようになっている。ここで用いられる桟Ｔにおいて、両側の蟻凸部２１，２１を除く長さＬは例えば８ｍである。
【００２５】
この実施形態では、先ず、各胴差Ｄの蟻溝２０が補強具１の側面切欠き部７および上面切欠き部８から覗く位置となるように、作業者は１対の補強具１，１を胴差Ｄ，Ｄに配置し、それぞれ掛止部４の横板部分１０を胴差Ｄの上面ＤＢに跨らせて垂板部分１１を胴差Ｄの外側面に掛止させ、竪板部３の内側面３Ｃを胴差Ｄの内側の側面ＤＡにあてがわせる。この状態にすると、各補強具１における竪板部３のボルト穴１５，・・・および垂板部分１１のボルト穴１５，・・・、ならびに各胴差Ｄのボルト穴１９，・・・（図５参照）が一連に並んで連通する。そこで、作業者は各補強具１の釘穴１６，１６，・・・・から釘Ｐ，Ｐ，・・・・を打ち込んで各胴差Ｄへの位置決め固定を行なう。続いて、作業者が一連のボルト穴１５，１９，１５にボルトＢを挿通しナットＮで締めることにより、各胴差Ｄに各補強具１が確実に固定される。
【００２６】
次に、作業者は、固定された各補強具１の桟受部５の上面開口１４から桟Ｔの先端部を桟受部５内に装入する。そして、桟Ｔの蟻凸部２２を胴差Ｄの蟻溝２０に嵌着させると、桟Ｔの底面が桟受部５の底板部分１２上に載る。すると、各補強具１における桟受部５の側板部分１３，１３のボルト穴１５，・・・・・および桟Ｔのボルト穴１９，・・・・・（図４参照）は一連に並んで連通する。このように一連に並んだボルト穴１５，１９，１５にボルトＢを挿通しナットＮで締めることにより、各補強具１が桟Ｔに固定される。すなわち、両端の蟻接ぎに加えて1対の補強具１，１によっても、桟Ｔが胴差Ｄ，Ｄに固定されるのである。
【００２７】
上記した構成の補強具１によれば、竪板部３および掛止部４が胴差Ｄにしっかりと掛止される。それに加えて、胴差Ｄに対し直角方向に長く延びる桟受部５は、その底板部分１２が桟Ｔの先端部を載せて支持するので桟Ｔの軸心方向の縮みや揺れに耐えられるとともに、両側の側板部分１３，１３が桟Ｔの先端部を収容して側方から保持するので桟Ｔの軸心と直角の横揺れにも耐えられる。これらに起因して、補強具１，１に収受・支持された桟Ｔは充分な強度を保持し得る。従って、長さ５ｍを超える長い桟Ｔであっても支障なく用いることができ、特に２階の間取りとして広い部屋を構築できるのである。一方で、強い地震や台風に遭遇して胴差Ｄ長手方向や桟Ｔ長手方向の横揺れがあっても、この接続構造は耐えられる。因みに、例えば木造住宅の棟上げ直後でも、桟Ｔの先端部が断面Ｕの字状の桟受部５内に収受されて乗っかっているので接続構造が崩れることがなく、１階に居る作業者に対しても安全・安心を提供することができる。
【００２８】
また、この補強具１は桟受部５の外側面１３Ａと竪板部３の一側面３Ｂとが補強板６で連結されているので、竪板部３に対する桟受部５の強度がいっそう高くなるから、地震などで桟Ｔが横揺れを受けた場合でも、竪板部３に対して桟受部５が曲げられたり破断されたりすることを防止できる。従って、更なる高強度の補強具１を提供して、木造建築の剛性を高めることができる。
【００２９】
そして、この補強具１は側面切欠き部７および上面切欠き部８を有しているので、予め桟Ｔの先端部に蟻凸部２１を形成するとともに胴差Ｄに蟻溝２０を形成しておいた場合、蟻溝２０が上面切欠き部８および側面切欠き部７から覗く位置の胴差Ｄに補強具１の掛止部４を掛止させれば、従来慣用の蟻接ぎ作業も行なうことができる。すなわち、従来と変わらぬ接合作業が行なえるので、新たな接合手法の導入にためらいがちな大工さんであっても、補強具１，１を用いた接合作業を躊躇なく実施できる。
【００３０】
尚、上記の実施形態では補強具のみについて説明したが、本発明はそれに限定されるものでない。例えば図６に示すように、前記の補強具１に加えて挟持部材２を有する補強セットＳも、本発明に含まれる。挟持部材２は、１対の挟持片２Ａ，２Ａ、ボルトＢ，・・・およびナットＮ，・・・で構成されている。各挟持片２Ａは、縦向きに配置される側板部分１７と、側板部分１７の上辺および下辺から水平方向に延在して側板部分１７と一体に構成された上下の横板部分１８，１８と、から断面コ字状に形成されている。各挟持片２Ａの長さＬ１（図１参照）は例えば９０ｃｍにしてある。挟持部材２の挟持片２Ａ，２Ａは横板部分１８，１８を互いに内向きにして用いられ、桟Ｔにおける長手方向中央部である途中部分Ｇを両側から挟みつけるようになっている。
【００３１】
ところで、ここで用いる桟Ｔは従前品よりもかなり長いために、特に長手方向中央部（途中部分Ｇ）の剛性が低下せざるを得ないのであるが、この補強セットＳによれば、桟Ｔの途中部分Ｇが１ｍ程度の長さにわたって側方両側から挟持部材２により挟持されるので、当該弱くなる部分をしっかりと補強することができる。すなわち、両端の２つの接合部分Ｈ，Ｈは蟻接ぎにより固定されながら補強具１，１で更に補強・保持されており、加えて桟Ｔの長手方向中央の途中部分Ｇが挟持部材２で補強されるので、８ｍもの長い桟Ｔであっても胴差Ｄ，Ｄ間への架け渡し構造の強度を高くすることができる。そして、桟Ｔが大きく撓むことも挟持部材２により防止できる。従って、木造建築でありながら、これまでに無く広い間取りの２階部屋を構築できたのである。また、この挟持部材２を用いると、桟Ｔ自体の補強も短時間で安価に行なうことができる。
【００３２】
また、前記の実施形態では、胴差Ｄ，Ｄと桟Ｔとの接合を確実かつ高強度にするために、挟持部材２を用いた例を示したが、それ以外の部位にも挟持部材２を用いることができる。
例えば、図７（ａ）に示すように、或る胴差Ｄに別の胴差Ｄを鎌接ぎで接合することがある。この場合、鎌接ぎ部Ｊの近傍位置（慣行として距離Ｋ≦３０ｃｍ）に柱Ｑを配して支持させることが慣わしとなっている。
そこで、図７（ｂ）に示すように、胴差Ｄ，Ｄにおける鎌接ぎ部Ｊの近傍にボルト穴１９，・・・を穿設し、更に挟持部材２の挟持片２Ａ，２Ａを用いて鎌接ぎ部Ｊを両側から挟み付けボルトＢ，・・・を挿通してナットＮ，・・・で締め付けると、十分かつ確実に接合部分が補強される。その場合は、従来技術で用いた柱Ｑ（図７（ｂ）中の２点鎖線）を省略することが可能であり、その場合でも充分な強度は得られる。但し、柱Ｑを従来通りに設けても構わない。
【００３３】
そして、上記の各実施形態では蟻接ぎも同時に行なうことを前提にした補強具１を例示したが、本発明はそれに限定されない。例えば、側面切欠き部７および上面切欠き部８の無い補強具（図示省略）も本発明に含まれる。このような補強具を用いる場合、蟻接ぎは行なわれず、桟Ｔの先端部を補強具の桟受部５内に収容して底板部分１２に載置させた状態としボルトＢおよびナットＮで固定するのである。このような接続構造であっても、十分な接続強度を提供することができる。
【００３４】
また、上記の各実施形態では、平行する胴差Ｄ，Ｄ間に桟Ｔを架け渡した木造建築の構造を例示したが、本発明が適用される木材としてはそれらに限定されず、例えば平行する軒桁間に小屋梁を架け渡す構造や、平行する土台間に大引きを架け渡す構造などにも適用可能である。但し、大引きには途中部分に束木を用いて支持させることができるので元来は補強具１を必要としないが、少々長い大引きを用いようとする場合に本発明の補強具や挟持部材を用いれば、木造建築全体の強度が確実に高くなることは言うまでもない。
【符号の説明】
【００３５】
１    補強具
２    挟持部材
２Ａ  挟持片
３    竪板部
３Ａ  上辺部分
３Ｂ  一側面
４    掛止部
５    桟受部
６    補強板
７    側面切欠き部
８    上面切欠き部
１０  横板部分
１１  垂板部分
１２  底板部分
１３  側板部分
１３Ａ  外側面
１４  上面開口
２０  蟻溝
２１  蟻凸部
Ｄ    胴差
ＤＡ  側面
ＤＢ  上面
Ｇ    途中部分
Ｓ    補強セット
Ｔ    桟（２階根太）
Ｌ    長さ
【図１】
2018150716.tif 000003
【図２】
2018150716.tif 000004
【図３】
2018150716.tif 000005
【図４】
2018150716.tif 000006
【図５】
2018150716.tif 000007
【図６】
2018150716.tif 000008
【図７】
2018150716.tif 000009
【図８】
2018150716.tif 000010